(57)【要約】【課題】第１の身生地部と第２の身生地部とを連続的に形成して、製造工程の簡略化を図りつつ着用感の低下の抑制を図ると共に、通気性の向上が図られた下着を提供する。【解決手段】着用時に肌にフィットするように形成された下着において、端始末不要な編み組織からなり、第１の身生地部１６と、第１の身生地部１６より薄い第２の身生地部１７とが交互に配置された本体編地１４を備える構成とする。第２の身生地部１７は、着用時に第１の身生地部１６よりも相対的にフィットしないように、第１の身生地部１６よりも肌側の厚みが薄くなるように形成する。【選択図】図１
2013100610.tif 000002
【特許請求の範囲】
【請求項１】
着用時に肌にフィットするように形成された下着であって、
異なる厚みを有する第１の身生地部と第２の身生地部とが、一体的に交互に編成された端始末不要な本体編地を備え、
前記第２の身生地部は、着用時に前記第１の身生地部よりも相対的に肌との間に隙間が形成され易いように、前記第１の身生地部よりも厚みが薄くなるように形成されている、
下着。
【請求項２】
前記本体編地は、臀部全体を覆うように形成され、
前記第２の身生地部は、臀裂に対応する位置から左右両脇側まで連続して配置されている、
請求項１に記載の下着。
【請求項３】
前記本体編地は、左右の脚がそれぞれ挿通される左右一対の裾口のうち、少なくとも前裾部分を形成し、
前記第２の身生地は、左右一対の前記前裾間を繋ぐように連続して形成されている、
請求項１または２に記載の下着。
【請求項４】
前記本体編地は、左右の脚がそれぞれ挿通される左右一対の裾口のうち、少なくとも臀部下部に位置する後裾部分を形成し、
前記第２の身生地部は、臀裂に対応する位置から左右一対の前記後裾間を繋ぐように連続して形成されている、
請求項１から３のいずれか１項に記載の下着。
【請求項５】
前記本体編地は、着用者のウエスト部分が挿通されるウエスト口を形成し、
前記第２の身生地部は、左右の両脇部分から前中心側または後中心側のウエスト口へ連続して形成されている、
請求項１から４のいずれか１項に記載の下着。
【請求項６】
前記第１の身生地部は、前記第２の身生地部の幅と同等または前記第２の身生地部の幅よりも大きくなるように形成されている、
請求項１から５のいずれか１項に記載の下着。
【請求項７】
前記第１の身生地部は、基本組織と挿入組織とによって編成され、
前記第２の身生地部は、前記基本組織によって編成されている、
請求項１から６のいずれか１項に記載の下着。
【請求項８】
前記基本組織は、弾性糸と非弾性糸を１コースまたは２コース進むごとに互いにルーピピングすることによって形成されている、
請求項７に記載の下着。
【請求項９】
前記本体編地には、芯糸を綿糸で被覆した糸であるＣＳＹが挿入され、
前記ＣＳＹは、前記第１の身生地部において肌側に露出するように編みこまれている、
請求項１〜８のいずれか１項に記載の下着。
【請求項１０】
前記第２の身生地部は、メッシュ状に形成されている、
請求項１〜９のいずれか１項に記載の下着。
【発明の詳細な説明】
【技術分野】
【０００１】
本発明は、下着に関する。
【背景技術】
【０００２】
近年、衣類の一部にメッシュ部を設けることで、通気性を向上させる衣類が数多く提案されている。例えば、身生地の一部にメッシュ状の布材を取り付けてメッシュ部分を形成するものの他、編地の組織を切り替えたり、糸の太さをメッシュ部分だけ細くしたりして、メッシュ部分と身生地部分とを連続的に形成するものが知られている。
【０００３】
下記特許文献１には、後身頃の身生地部に、臀裂に沿って上下方向に延在するメッシュ部が設けられたボトム下着が開示されている。また、下記特許文献２には、臀裂の上端に対応する位置と、臀裂の下端に対応する位置との両方にメッシュ部が設けられたボトム衣類が開示されている。このボトム衣類では、上端側のメッシュ部を、下端側のメッシュ部より大きくすることで、歩行動作時に「ふいご効果」によって、臀裂近傍の空間において下方から上方への通気を促進しようとしている。
【先行技術文献】
【特許文献】
【０００４】
【特許文献１】登録実用新案第３０５２１１１号公報
【特許文献２】特許第３８３６０３９号明細書
【発明の概要】
【発明が解決しようとする課題】
【０００５】
特許文献１に記載された従来技術では、臀裂に沿って形成されたメッシュ部によって、ある程度の通気性を確保することは可能であるが、充分ではなかった。また、特許文献２に記載された従来技術では、着用者が歩行動作を行っていない静止状態において、充分な「ふいご効果」が得られなかった。そのため、通気性の向上が図られた下着が求められている。
【０００６】
特許文献１，２の従来技術では、身生地部にメッシュ部を縫着等によって取り付ける必要があるため、製造に手間がかかり、製造工程の簡略化が求められていた。そのため、製造工程の簡略化を図ることができる下着が求められている。
【０００７】
特許文献１の従来技術では、臀裂に沿ってメッシュ部が形成されており、当該メッシュ部の伸長回復性が他の身生地部分よりも低いため、良好なフィット性（キックバック性）を得ることができなかった。また、特許文献１，２の従来技術では、メッシュ部と身生地部との連絡部に縫着部分が形成されてしまうため、肌触りの点で問題があった。そのため、着用感の低下を抑制することが可能な下着が求められている。
【０００８】
本発明は、このような課題を解決するために成されたものであり、互いに厚みが異なる第１の身生地部と第２の身生地部とを連続的に形成して、製造工程の簡略化を図りつつ着用感の低下の抑制を図ると共に、通気性の向上が図られた下着を提供することを目的とする。
【課題を解決するための手段】
【０００９】
本発明は、着用時に肌にフィットするように形成された下着であって、異なる厚みを有する第１の身生地部と第２の身生地部とが、一体的に交互に編成された端始末不要な本体編地を備え、第２の身生地部は、着用時に第１の身生地部よりも相対的に肌との間に隙間が形成され易いように、第１の身生地部よりも厚みが薄くなるように形成されている、下着を提供する。
【００１０】
この構成の下着によれば、互いに厚さの異なる第１の身生地部及び第２の身生地部とが一体的に交互に編成された本体編地を備える構成であるため、通気性を向上させることができ、蒸れにくくすることができる。本発明の下着では、１枚の本体編地において第１の身生地部と第２の身生地部とが連続的に形成されているので、第１の身生地部に第２の身生地部（例えばメッシュ部）を取り付ける必要を無くして、製造工程の簡略化を図ることができる。第２の身生地部を取り付けることで生じる縫着線が形成されないため、着用感の低下を抑制することができる。
【００１１】
また、着用時において、第２の身生地部が、第１の身生地部よりも相対的に着用者の肌との間に隙間が形成され易いように、第１の身生地部よりも厚みが薄く形成されているので、第２の身生地部間に挟まれた第１の身生地部が、着用者の肌に接触して汗を吸湿し、爽快感を向上させることができる。本発明の下着では、本体編地の肌側表面に凹凸が形成され、第２の身生地部と肌との間には、第１の身生地部と肌との間よりも相対的に隙間が形成され易く放熱を促進させることができる。その結果、着用者の爽快感を向上させることができる。
【００１２】
下着の本体編地は、端始末不要な編み組織から形成されているため、裁断後の端始末が不要であり、製造工程の手間を省くことができる。
【００１３】
本体編地は、臀部全体を覆うように形成され、第２の身生地部は、臀裂に対応する位置から左右両脇側まで連続して配置されていてもよい。
【００１４】
この構成の下着では、第２の身生地部が臀裂近傍から左右両脇側まで連続して形成されているため、臀裂近傍の空気を第２の身生地部に沿って左右方向に逃がすことができる。これにより、放熱性を高め、着用者の爽快感を一層向上させることができる。
【００１５】
本発明の下着の本体編地は、左右の脚がそれぞれ挿通される左右一対の裾口のうち、少なくとも前裾部分を形成し、第２の身生地部は、左右一対の前裾間で連続して形成されている構成でもよい。これにより、前裾部分（裾口の周縁部）に形成された第２の身生地部から、空気を流入または流出させることが可能となり、通気性を一層向上させることができ、前裾部分の通気性を向上させて蒸れを抑制することができる。
【００１６】
本発明の下着の本体編地は、左右の脚をそれぞれ挿通される左右一対の裾口のうち、少なくとも臀部下部に位置する後裾部分を形成し、第２の身生地部は、臀裂に対応する位置から左右一対の後裾間を繋ぐように連続して形成されている構成でもよい。臀裂周辺から後裾部分まで第２の身生地部が連続して設けられているため、後裾部分に形成された第２の身生地部分から、空気を流入または流出させることが可能となり、通気性を一層向上させることができ、後裾部分の通気性を向上させて蒸れを抑制することができる。
【００１７】
また、本体編地は、着用者のウエスト部分が挿通されるウエスト口を形成し、第２の身生地部は、左右の両脇部分から前中心側または後中心側のウエスト口へ連続して形成されている構成でもよい。これにより、左右両脇部分からウエスト口周辺に至る領域の通気性を向上させることができる。
【００１８】
第１の身生地部は、第２の身生地部の幅と同等または第２の身生地部の幅よりも大きくなるように形成されていてもよい。
【００１９】
本体編地の具体的な構成として、基本組織と挿入組織とによって編成され、第２の身生地部は、基本組織によって編成されている構成が挙げられる。
【００２０】
基本組織は、弾性糸と非弾性糸を１コースまたは２コース進むごとに互いにルーピングすることによって形成されている組織とすることができる。ルーピングとは、編糸（弾性糸、非弾性糸）によって、ループ（輪）を形成することをいう。
【００２１】
また、本体編地には、芯糸を綿糸で被覆した糸であるＣＳＹが挿入され、ＣＳＹは、第１の身生地部において肌側に露出するように編みこまれている、構成とすることができる。この構成により、吸湿性を有する綿糸を肌側に設けることで、着用者の汗を吸収しやすくすることができる。
【発明の効果】
【００２２】
本発明によれば、互いに厚みが異なる第１の身生地部と第２の身生地部とを連続的に形成して、製造工程の簡略化を図りつつ着用感の低下の抑制を図ると共に、通気性の向上が図られた下着を提供することができる。
【図面の簡単な説明】
【００２３】
【図１】本発明の実施形態に係るショーツを裏返して正面側を示す図である。
【図２】本発明の実施形態に係るショーツを示す背面図である。
【図３】図１に示すショーツの本体編地の展開図である。
【図４】図１中の身生地部及びメッシュ部の各構成糸の編成組織図である。
【図５】図１中の周囲領域の各構成糸の編成組織図である。
【図６】図１中のパイル編み領域の各構成糸の編成組織図である。
【図７】図１に示すショーツの本体編地の一部を拡大した図である。
【図８】図１に示すショーツの本体編地の断面を拡大して示す模式図である。
【発明を実施するための形態】
【００２４】
以下、本発明による下着の好適な実施形態について図面を参照しながら説明する。なお、図面の説明において同一または相当要素には同一の符号を付し、重複する説明は省略する。
【００２５】
（ショーツ）
図１及び図２は、ショーツ１０を示している。図１では、ショーツ１０を裏返した状態として、主に、前身頃側を示している。本実施形態のショーツ１０（下着）は、着用者の下腹部を覆う前身頃１１と、着用者の臀部を覆う後身頃１２と、前身頃１１と後身頃１２との間に形成された股部１３と、を備え、１枚の連続した本体編地１４から形成されている。なお、複数枚の編地を用いて下着を製造してもよい。また、本発明の下着は、ショーツ１０に限定されず、クロッチ付の下着、または、その他の下着でもよい。例えば、上半身を覆う下着でもよい。
【００２６】
前身頃１１の本体編地１４には、基本の編み組織である身生地部（第１の身生地部）１６と、身生地部１６より通気性が向上されたメッシュ部（第２の身生地部）１７とが交互に形成されている。前身頃１１は、下腹部全体を覆うように形成されている。前身頃１１において、身生地部１６及びメッシュ部１７は、左右方向（第１の方向）に延在し、上下方向（第２の方向）に交互に配置されている。左右方向とは、着用状態における左右方向である。上下方向とは、通常の着用状態における上下方向であり、足先側が下方であり、頭部側が上方である。
【００２７】
前身頃１１の身生地部１６及びメッシュ部１７は、前身頃１１の全域に形成されている。身生地部１６及びメッシュ部１７は、左右両方の脇線１５間で連続して形成されている。身生地部１６及びメッシュ部１７は、前身頃１１の全域に形成されていないものでもよい。前身頃１１の一部分において、身生地部１６及びメッシュ部１７が交互に配置されている構成でもよい。また、前身頃１１は、下腹部全体を覆っていないものでもよい。なお、身生地部１６及びメッシュ部１７が交互に配置された本体編地１４の組織については、後述する。
【００２８】
後身頃１２の本体編地１４には、身生地部１６及びメッシュ部１７が形成されている。後身頃１２は、臀部全体を覆うように形成されている。後身頃１２において、身生地部１６及びメッシュ部１７は、左右方向（第１の方向）に延在し、上下方向（第２の方向）に交互に配置されている。
【００２９】
後身頃１２の身生地部１６及びメッシュ部１７は、後身頃１２の全域に形成されている。身生地部１６及びメッシュ部１７は、左右両方の脇線１５間で連続して形成されている。身生地部１６及びメッシュ部１７は、前身頃１１の全域に形成されていないものでもよい。後身頃１２の一部分において、身生地部１６及びメッシュ部１７が交互に配置されている構成でもよい。また、後身頃１２は、下腹部全体を覆っていないものでもよい。なお、脇線１５において、前身頃１１のメッシュ部１７の位置と、後身頃１２のメッシュ部１７の位置とは、一致していることが好ましいが、ずれていてもよい。
【００３０】
股部１３の本体編地１４には、左右方向の中央に配置されたパイル編み領域２０、及びパイル編み領域２０の左右両側に配置された周囲領域３０が形成されている。パイル編み領域２０は、クロッチ部分の大きさに対応するように形成されている。なお、股部１３において、パイル編み領域２０が形成されていない構成でもよい。また、股部１３の本体編地１４の一部分において、身生地部１６及びメッシュ部１７が交互に配置されている構成でもよい。パイル編み領域２０及び周囲領域３０が配置された本体編地１４の組織については、後述する。
【００３１】
（本体編地）
次に本実施形態のショーツ１０の本体編地１４について説明する。図３は、本発明の実施形態に係る本体編地を示す平面図である。本体編地１４は、上述したように、前身頃１１、後身頃１２、及び股部１３を備え、１枚の連続した編地から形成されている。
【００３２】
本体編地１４は、身生地部１６、メッシュ部１７、パイル編み領域２０、及び周囲領域３０を有し、複数の編成組織を重ねて形成された伸縮性経編地である。本体編地１４では、図示上下方向（Ｙ方向）がコース方向となる。周囲領域３０は、コース方向Ｙにおいて、パイル編み領域２０の両側に形成されている。
【００３３】
前身頃１１及び後身頃１２は、互いに対面するように折り返されて、ショーツ１０において、前身頃１１及び後身頃１２の側端部４１，４２同士が縫合されている。側端部４１，４２が縫合された線状の部分が、ショーツ１０において脇線１５となる。
【００３４】
ショーツ１０の上端部（ウエスト口）は、着用者の胴回りに対応する部分であり、本体編地１４の周縁部分４３，４４によって形成されている。ショーツ１０の上端部は、身生地部１６またはメッシュ部１７が裁断されて形成されている。周縁部分４３，４４では、裁断後の端始末は施されていない。なお、周縁部分４３，４４には裁断後の端始末を施す必要はないが、商品の仕様に応じてレース材等取り付けるために、縫製を施すといったことも考えられる。
【００３５】
ショーツ１０において、本体編地１４のウエスト口を形成する周縁部分４３，４４に、メッシュ部１７が形成されている構成でもよく、メッシュ部１７が形成されていない構成でもよい。ウエスト口近傍のメッシュ部１７は、前身頃１１側のみ、後身頃１２側のみに形成されていてもよい。ウエスト口近傍のメッシュ部１７は、左右の両脇部分から前中心側または後中心側のウエスト口へ連続して形成されていることが好ましい。
【００３６】
ショーツ１０のすそ部（裾口）は、着用者の脚が挿通される開口部であり、本体編地１４の周縁部分４５〜４７によって形成されている。ショーツ１０のすそ部は、身生地部１６、メッシュ部１７、または周囲領域３０が裁断されて形成されている。周縁部分４５〜４７では、裁断後の端始末は施されていない。
【００３７】
ショーツ１０のすそ部（４５〜４７）のうち、前身頃１１の周縁部分４５（前裾部分）のみにメッシュ部１７が形成され、後身頃１２の周縁部分４７（後裾部分）にメッシュ部１７が形成されていない構成でもよい。
【００３８】
また、ショーツ１０のすそ部（４５〜４７）のうち、後身頃１２の周縁部分４７（後裾部分）のみにメッシュ部１７が形成され、前身頃１１の周縁部分４５（前裾部分）にメッシュ部１７が形成されていない構成でもよい。着用時において、後裾部分は、汗のかきやすい部位である臀部下部に配置されるため、後裾部分にメッシュ部１７が形成されていることが好ましい。
【００３９】
なお、本実施形態では、本体編地１４は、前身頃１１と後身頃１２とが股部１３を介して一体に形成されており、前身頃１１と後身頃１２の左右の脇部分を繋ぎ合わせてショーツを形成する例を挙げている。しかし、本発明は、これに限定されるものではない。例えば、前身頃と後身頃を別々の編地として形成し、互いの編地を接着または縫着等の手法によって繋ぎ合わせてショーツを形成するものとしても良いし、左右の身頃を別々の編地として形成し、互いの編地を縫着または接着等の手法によって繋ぎ合わせてショーツを形成するものとしても良い。
【００４０】
（身生地部の編み組織）
次に、図４を参照して、身生地部１６の編み組織について説明する。図４（ａ）は、図１中の身生地部１６の各構成糸の編成組織図である。身生地部１６は、非弾性糸５０と弾性糸６１〜６３とを組み合わせて編成された経編地の一部分である。
【００４１】
以下の説明において、１コースとは、図４において矢印Ｙで示す上下方向、すなわち各編成組織を構成する糸が編み込まれる方向の距離を意味している。１ウェールとは、矢印Ｘで示す左右方向の距離を意味している。
【００４２】
身生地部１６は、第１編成組織Ａ（アトラス編地組織）、第２編成組織Ｂ（二目編組織）、第３編成組織Ｃ（挿入組織）、第４編成組織Ｄ（挿入組織）を備えている。
【００４３】
第１編成組織Ａは、非弾性糸５０が１コースごとに１ウェール分の振り幅で、１繰り返し単位では合計２ウェール分の振り幅となるようにウェール方向に振られ、全てのコースでループを形成している。第１編成組織Ａは、変形アトラス組織または変形デンビ組織としても表現できる組織である。
【００４４】
第２編成組織Ｂは、弾性糸のうち第１の弾性糸６１が２コースごとに左右交互に２ウェール分の振り幅（すなわち２針間）で振られて、部分的に二目編を形成している。第１編成組織Ａ及び第２編成組織Ｂは、１コース進むごとに互いに締め付けあうようにルーピングしている。これにより、互いの組織の糸をほつれ難くし、裁断された際にも生地端始末を不要なものとしている。
【００４５】
第３編成組織Ｃは、弾性糸のうち第２の弾性糸６２が１コースごとに１ウェール分の振り幅で左右交互に振られ、第１編成組織Ａと第２編成組織Ｂが形成するループの間に挟みこまれるように挿通される挿入組織である。
【００４６】
第４編成組織Ｄは、弾性糸のうち第３の弾性糸６３が第３編成組織と同様に、第１編成組織Ａの形成する、例えば、ニードルループとシンカーループの間に挿通され、編成組織Ａの糸によって挟み込まれる挿入組織である。これによって、編成組織Ａを形成する糸がほつれ難くしている。なお、身生地部１６は、その他の編成組織から構成されていてもよい。例えば、第４編成組織Ｄを備えていない身生地部１６でもよい。または、第１編成組織Ａ及び第２編成組織Ｂの形成する、例えば、ニードルループとシンカーループの間に挿通され、編成組織Ａ、Ｂの糸によって挟み込まれる挿入組織でもよい。
【００４７】
（第１編成組織Ａ）
非弾性糸５０による第１編成組織Ａは、伸縮性経編地の基本組織を構成している。第１編成組織Ａは、１コース毎に１ウェール分の振り幅で１繰り返し単位では合計２ウェール分の振り幅でウェール方向に振られて全てのコースでループを形成する。具体的には、２１／１０／１２／２３／／などの繰り返し単位を有する編成組織が採用されている。後述する弾性糸の編成組織Ｂ、Ｃ、Ｄとの組み合わせによって、伸縮性経編地の機能や特性に違いが生じる。
【００４８】
（第１編成組織Ａの非弾性糸）
第１編成組織Ａの非弾性糸としては、通常の経編地と同様の糸材料を使用することができる。「非弾性糸」とは、弾性糸と比較して弾性が少ない糸を含むものである。例えば、伸度１００％未満の糸を非弾性糸として使用することができる。非弾性糸としては、伸度６０未満の糸であることが好適である。具体的には、綿などの天然繊維、ナイロンなどの合成繊維、さらには半合成繊維や再生繊維なども、非弾性糸として使用可能である。非弾性糸の形態としては、フィラメント糸、紡績糸、交撚糸などを採用することができる。
【００４９】
（第２編成組織Ｂ）
弾性糸による第２編成組織Ｂは、本体編地１４に良好な伸縮性を付与する機能を有している。また、第２編成組織Ｂは、編地のほつれや裂けを防止する機能を有している。第２編成組織Ｂは、他の編成組織Ａ、Ｃと共に用いることによって、弾性編地を形成する。具体的には、１２／０２／２１／３１／／などの繰り返し単位を有する編成組織が採用されている。
【００５０】
（第２編成組織Ｂの弾性糸）
第２編成組織Ｂは、編地がカールし難くする機能を有している。第２編成組織Ｂの弾性糸としては、通常の伸縮性経編地と同様の糸材料を使用することができる。例えば、伸度２００％以上の糸を弾性糸として使用することができる。弾性糸としては、伸度４００％以上であることが好適である。具体的には、ポリウレタン弾性糸を使用することができる。
【００５１】
（第３編成組織Ｃ）
弾性糸による第３編成組織Ｃは、伸縮性その他の特性を編地に付与する機能を有している。第３編成組織Ｃは、第２編成組織Ｂと異なり、第２の弾性糸６２が１コース毎に１ウェール分の振り幅で左右交互に振られて挿入される。いわゆるジグザグ状の挿入組織であり、００／１１／／の繰り返し単位になる。なお、本実施形態では、第３編成組織Ｃは、００／１１／／の繰り返し単位となる例を挙げているが、例えば、１１／００／１１／２２／／の繰り返し単位となるようにしてもよい。
【００５２】
第３編成組織Ｃは、主にタテ方向（Ｘ方向またはＹ方向）における伸縮性に関与する。ヨコ方向および斜め方向に優れた伸縮性を示す第２編成組織Ｂと組み合わせられ、経編地に、タテ、ヨコ、斜めの何れの方向にもバランスの取れた伸縮機能を付与することができる。
【００５３】
（第３編成組織Ｃの弾性糸）
第３編成組織Ｃの弾性糸としては、基本的には、第２編成組織Ｂに用いる弾性糸と共通する糸材料が使用できる。弾性糸の伸度も同程度の範囲内に設定することができる。
【００５４】
（第４編成組織Ｄ）
弾性糸による第４編成組織Ｄは、伸縮性その他の特性を編地に付与する機能を有している。第４編成組織Ｄは、第２編成組織Ｂと異なり、第３の弾性糸６３が２コース毎に２ウェール分の振り幅で左右交互に振られて挿入される。いわゆるジグザグ状の挿入組織である。
【００５５】
第４編成組織Ｄは、主にタテ方向における伸縮性に関与し、ホツレ防止にも寄与する。ヨコ方向および斜め方向に優れた伸縮性を示す第２編成組織Ｂと組み合わせられ、経編地に、タテ、ヨコ、斜めの何れの方向にもバランスの取れた伸縮機能を付与することができる。
【００５６】
（第４編成組織Ｄの弾性糸）
第４編成組織Ｄの弾性糸としては、ＣＳＹが使用できる。ＣＳＹの伸度は、第２編成組織Ｂの弾性糸６１の伸度と同程度の範囲内に設定することができる。ここで、ＣＳＹとは、コアスパンヤーンを意味する。
【００５７】
（メッシュ部の編み組織）
次に、図４を参照して、メッシュ部１７の編み組織について説明する。図４（ｂ）は、図１中の身生地部１６の各構成糸の編成組織図である。メッシュ部１７は、身生地部１６の編み組織から挿入組織（第３編成組織Ｃ及び第４編成組織Ｄ）が取り除かれた部分である。メッシュ部１７は、第１編成組織Ａ（アトラス編地組織）、及び第２編成組織Ｂ（二目編組織）を備えている。第１編成組織Ａと第２編成組織Ｂは１コース進むごとに互いに締め合うようにループを構成している。このため、身生地部１６と同様に生地端始末が不要である。
【００５８】
（周囲領域）
次に図５を参照して、周囲領域３０の編み組織について説明する。図５は、図１中の周囲領域の各構成糸の編成組織図である。周囲領域３０は、非弾性糸５０，６４と弾性糸６１〜６３とを組み合わせて編成された経編地の一部分である。
【００５９】
周囲領域３０は、上述した第１編成組織Ａ、第２編成組織Ｂ、第３編成組織Ｃ、及び第４編成組織Ｄの他に、非弾性糸６４が１コースごとに１ウェール分の振り幅で左右交互に振られて挿入された第５編成組織Ｅを備えている。なお、第１の周囲領域３１は、その他の編成組織から構成されていてもよい。
【００６０】
（第５編成組織Ｅ）
非弾性糸６４による第５編成組織Ｅは、領域２０で形成するパイルの糸を各編成組織に絡めている。これにより、周囲領域３０の編地が裁断されたときに、パイルを形成する糸がほつれ難くしている。第５編成組織Ｅは、非弾性糸６４が１コース毎に１ウェール分の振り幅で左右交互に振られて挿入される。いわゆるジグザグ状の挿入組織であり、００／１１／／の繰り返し単位になる。
【００６１】
第５編成組織Ｅは、非弾性糸６４を絡めることで周囲領域３０と第２の周囲領域３２との間に伸度の差、すなわち、パワー差を設ける機能を有している。これにより、第１の周囲領域（股部）３１の伸度を小さくし、着用者の股に対して生地が食い込み難くしている。一方、着用者の臀部及び腹部周辺を覆う第２の周囲領域３２については、第１の周囲領域よりも伸度を高くして伸縮性を持たせ、臀部に対するフィット性を高めている。
【００６２】
（パイル編み領域）
次に図６を参照して、パイル編み領域２０の編み組織について説明する。図６は、パイル編み領域の各構成糸の編成組織図である。パイル編み領域２０は、非弾性糸５０，６４と弾性糸６１〜６３とを組み合わせて編成された経編地の一部分である。
【００６３】
パイル編み領域２０は、上述した第１編成組織Ａ、第２編成組織Ｂ、第３編成組織Ｃ、及び第４編成組織Ｄの他に、非弾性糸６４が挿入された第６編成組織Ｆを備えている。
【００６４】
（第６編成組織Ｆ）
第６編成組織Ｆは、パイルを構成する部分であり、パイルのループを構成するために、部分的に編み込まないようにしている。具体的には、１１／１１／１１／１１／１１／１１／１１／１１／１１／１１／００／１１／／などの繰り返し単位を有する編成組織が採用されている。
【００６５】
本実施形態では、上記のようにループの間隔を１１針間（すなわち、１１コース分の距離）とすることで、パイル部分を形成する例を挙げているが、本発明は、これに限定されるものではない。商品の仕様に応じて、ループの間隔を設定すれば良い。
【００６６】
（身生地部及びメッシュ部の配置）
次に、図７及び図８に参照して、身生地部１６及びメッシュ部１７の配置について説明する。本実施形態の本体編地１４では、身生地部１６及びメッシュ部１７が交互に形成され、例えばボーダー状に配置されている。本実施形態では、身生地部１６の幅Ｗ１６は、５ｍｍ程度、メッシュ部１７の幅Ｗ１７は、２ｍｍ程度である。このように、メッシュ部１７の幅Ｗ１６は隣接する身生地部１６の幅Ｗ１７よりも狭くなるように形成されていることが好ましい。これにより、身生地部と比較してメッシュ部は肌にあまりフィットしないため相対的に通気性を高くすることができる。身生地部１６の幅Ｗ１６は、３ｍｍ〜１２ｍｍであることが好ましい。メッシュ部１７の幅Ｗ１７は、身生地部１６の幅Ｗ１６と同等または幅Ｗ１６よりも狭く、例えば１ｍｍ〜５ｍｍであることが好ましい。
【００６７】
図８に示すように、身生地部１６は、メッシュ部１７よりも肌側へ厚みを有している。換言すれば、メッシュ部１７は、着用時に身生地部１６よりも相対的に肌にフィットしないように、身生地部１６よりも肌側に厚みが薄くなるように形成されている。そのため、ショーツ１０の着用時において、メッシュ部１７と着用者の肌との間に隙間が形成され易くなっている。
【００６８】
なお、本実施形態では、メッシュ部１７よりも身生地部１６の肌側の厚みのみが厚くなるように形成されている例を挙げているが、本発明は、これに限定されるものではない。編地の仕様によっては、例えば、肌側と反対側である表側の厚みもメッシュ部１７よりも身生地部１６の方が厚く形成されるようにしてもよい。
【００６９】
（身生地部及びメッシュ部の通気量の測定）
本実施形態の編地について通気量の測定を実施した。通気量の測定は、カトーテック株式会社製「ＫＥＳ−Ｆ８−ＡＰ１」を用い、ＫＥＳ法にて通気抵抗を測定し、その測定値を変換して通気量を算出した。試験片として、身生地部１６（幅６ｍｍ）及びメッシュ部１７（幅２ｍｍ）が交互に配置された編地（試験片１）、身生地部１６のみからなる編地（試験片２）、メッシュ部１７のみからなる編地（試験片３）について、通気量を算出した。各試験片について、５回の測定を行い、通気量の平均値を算出した。以下の表１に測定結果を示す。単位はＫｐａ・Ｓ／ｍである。
【表１】
2013100610.tif 000003
【００７０】
以上、このような構成の本実施形態のショーツ１０では、本体編地１４に、端始末不要なフリーカット素材を採用しているため、裁断後の裾始末及びウエスト上辺始末が不要である。その結果、製造工程の手間を省き、製造コストの上昇を抑えることができる。
【００７１】
本実施形態のショーツ１０では、編成後の編地（きばた）に対して、編地を面状に広げてわずかにテンションが付与された状態でヒートセットが行われている。その結果、編地のフリーカット性が向上され、裁断後の糸のほつれを抑制することができる。
【００７２】
このような本実施形態のショーツ１０によれば、身生地部１６とメッシュ部１７とが交互に配置された本体編地１４を備える構成であるため、１枚の編地において身生地部１６とメッシュ部１７とを連続的に形成することができる。これにより、メッシュ部１７を取り付ける必要を無くして、製造工程の簡略化を図ることができる。メッシュ部１７を取り付けることで生じる縫着線が形成されないため、着用感の低下が抑制されている。なお、身生地部１６とメッシュ部１７とを連続的に形成するとは、換言すると、身生地部１６とメッシュ部１７とを一体的に形成するとも表現することができる。
【００７３】
また、本実施形態のショーツ１０では、上記の編み組織を有する本体編地１４を採用しているため、着用時のフィット性（密着性）を低下させず、且つ、メッシュ部１７から肌が透け過ぎない下着を実現することができる。なお、本実施形態において、「密着」とは、着用状態におけるフィット性を意味しており、ガードル等の補整機能を有する衣類のように高い補整力が発揮される着用状態を意味するものではない。
【００７４】
ショーツ１０では、身生地部１６と身生地部１６に挟まれるように細長いメッシュ部１７が繰り返し配置されているため、身生地部１６とメッシュ部１７との伸び易さの違いが緩和され、編地全体としてのフィット性が低下しないようにしつつ、身頃の広い範囲にメッシュ部を設けることができる。その結果、編地の広範囲にわたり、メッシュ部１７を形成しても適度な伸長回復性を備える下着を実現することができる。
【００７５】
例えば、糸を細くしてメッシュ部を編成する方法を用いて、本実施形態の本体編地のように、身生地部１６とメッシュ部１７とが交互に現れるように編成すると、身生地部とメッシュ部との伸度差が大きくなり、着用状態においてメッシュ部が身生地部よりもかなり伸ばされてしまい、結果的に伸長回復性の低下を招くことが予想される。
【００７６】
ショーツ１０では、着用時において、メッシュ部１７と肌との間に隙間が形成され易いように、身生地部１６よりも厚みが薄くなるように形成されている。これにより、メッシュ部１７と肌との間に隙間が形成され易くし、空気の流れを阻害するものを減らして放熱を促進させ、着用者の爽快感が向上されている。
【００７７】
本体編地１４は、臀部全体を覆うように形成され、メッシュ部１７は、臀裂に対応する位置から左右両脇側まで連続して配置されている。メッシュ部１７が臀裂近傍から左右両脇側まで連続して形成されているため、臀裂近傍の空気をメッシュ部１７に沿って左右方向に逃がすことができる。これにより、放熱性を高め、着用者の爽快感を一層向上させることができる。
【００７８】
ショーツ１０には、左右の脚をそれぞれ挿通すべき左右一対の裾口が形成されており、メッシュ部は、左右一対の裾口間で連続して形成されている。これにより、裾口の周縁部に形成されたメッシュ部に沿って、空気を流入または流出させることが可能となり、通気性を一層向上させることができる。
【００７９】
本実施形態では、本体編地に、芯糸を綿糸で被覆した糸であるＣＳＹが挿入され、ＣＳＹが、身生地部１７において肌側に露出するように編みこまれている。これにより、吸湿性を有する綿糸を肌側に多く設けることで、着用者の汗を吸収しやすくすることができる。ＣＳＹは、綿繊維でカバーリングされているため、吸水性、保温性の確保に有効である。綿繊維の代わりにリヨセルなどの天然繊維を用いることも可能である。
【００８０】
以上、本発明をその実施形態に基づき具体的に説明したが、本発明は、上記実施形態に限定されるものではない。
【００８１】
上記実施形態のショーツ１０では、身生地部１６及びメッシュ部１７が左右方向に延在し、上下方向に繰り返し配置されているボーダー状に形成されているが、身生地部１６及びメッシュ部１７は、その他の配置でもよい。例えば、ストライプ（縦縞状）、格子柄、チェック柄、千鳥格子状に、身生地部及びメッシュ部を形成してもよい。
【符号の説明】
【００８２】
１０…ショーツ（下着）
１１…前身頃
１２…後身頃
１３…股部
１４…本体編地
１５…脇線
１６…身生地部（第１の身生地部）
１７…メッシュ部（第２の身生地部）
２０…パイル編み領域
３０…周囲領域
４３，４４…ウエスト口
４５〜４７…裾口
【図１】
2013100610.tif 000004
【図２】
2013100610.tif 000005
【図３】
2013100610.tif 000006
【図４】
2013100610.tif 000007
【図５】
2013100610.tif 000008
【図６】
2013100610.tif 000009
【図７】
2013100610.tif 000010
【図８】
2013100610.tif 000011